(57)【特許請求の範囲】
【請求項１】
地盤を掘削して形成された掘削底面上に略水平な基礎面を形成するとともにその基礎面から上端が突出する位置決めボルトを設け、
その基礎面上に防水層を形成し、
その防水層上に、側面が波型鋼材によって形成された壁部で囲まれるとともに、前記壁部の上端が移動時に変形しないように頭部つなぎ材によって補強されて底部は開口された地下室ユニットであって、前記壁部の下端面に高さ調整具を介して取り付けられたベースプレートとその上下両面に取り付けられた弾性シール材とを備えた前記地下室ユニットを、前記位置決めボルトに前記ベースプレートの位置を合わせて設置し、
前記高さ調整具によって高さを調整して前記基礎面に固定し、
前記地下室ユニットの底部にセメント系混合材料を打設して前記壁部の下部と一体化される床部を形成することを特徴とする地下室の構築方法。
【請求項２】
前記地下室ユニットの底部にセメント系混合材料を打設する前に、前記地下室ユニットの対向する壁部間を長尺状の支持部材によって内側から支持させ、前記地下室ユニットの底部及び前記壁部の外周にセメント系混合材料を打設することを特徴とする請求項１に記載の地下室の構築方法。
【請求項３】
波型鋼材によって形成される側面を囲む防水性の壁部と、前記壁部の上端に取り付けられる頭部つなぎ材と、前記壁部の下端面に高さ調整具を介して取り付けられるベースプレートと、そのベースプレートの上下両面に取り付けられる弾性シール材とを有するとともに、底部が開口されていることを特徴とする地下室ユニット。
【発明の詳細な説明】
【技術分野】
【０００１】
本発明は、住宅の地下に収納などをおこなう部屋を構築する地下室の構築方法及びその方法に使用するのに適した地下室ユニットに関するものである。
【背景技術】
【０００２】
従来から収納や趣味の部屋などとして使用するために、住宅を建設する地盤を掘削して地下室を構築することがある。
【０００３】
特許文献１には、工場において製作された地下室ユニットを掘削した掘削底面上に設置することで、地下室を短期間に効率よく構築する方法が開示されている。
【０００４】
この方法では、角型鋼管やＨ型鋼等の一般鋼材を使って工場で地下室ユニットの側面、底面及び上面の骨組みを製作し、その骨組みの内面に鋼板を取り付けて目地に防水処理をして地下室ユニットを完成させた後に、現地まで運搬して基礎コンクリート面上に設置して地下室を構築する。
【特許文献１】特開平８−１２０６８９号公報
【発明の開示】
【発明が解決しようとする課題】
【０００５】
しかしながら、前記した特許文献１の地下室の構築方法では、地下室ユニットの大部分を予め工場で製作するため、重量が大きくなって輸送や据え付けに大型重機が必要になる。
【０００６】
また、側面及び底面の両方を鋼板によって形成すると、その間の接合処理又は目地処理などの施工量が増加して手間がかかる。
【０００７】
そこで、本発明は、運搬や設置が容易な軽量の地下室ユニットを利用した施工性に優れた地下室の構築方法及びその方法に使用する地下室ユニットを提供することを目的としている。
【課題を解決するための手段】
【０００８】
前記目的を達成するために、本発明は、地盤を掘削して形成された掘削底面上に略水平な基礎面を形成し、その基礎面上に防水層を形成し、その防水層上に側面が壁部で囲まれるとともに底部が開口された地下室ユニットを設置して前記基礎面に固定し、前記地下室ユニットの底部にセメント系混合材料を打設して前記壁部の下部と一体化される床部を形成する地下室の構築方法であることを特徴とする。
【０００９】
ここで、前記地下室ユニットの底部にセメント系混合材料を打設する前に、前記地下室ユニットの対向する壁部間を長尺状の支持部材によって内側から支持させ、前記地下室ユニットの底部及び前記壁部の外周にセメント系混合材料を打設するようにもできる。
【００１０】
また、本発明の地下室ユニットは、側面を囲む防水性の壁部と、基礎面に設けられた手段と組み合わされて前記壁部をその基礎面上に固定する接合手段とを有するとともに、底部が開口されている地下室ユニットであることを特徴とする。
【００１１】
ここで、前記壁部の下端面にはシール材を取り付けるのが好ましい。また、前記底部には、対向する壁部間に鉄筋を架け渡しておくことができる。
【発明の効果】
【００１２】
このように構成された本発明は、底部が開口された地下室ユニットを基礎面上に固定した後に、その底部にセメント系混合材料を打設することによって壁部と一体の床部を構築する。
【００１３】
このため、地下室ユニットを運搬や設置が容易な軽量の形態にすることができるうえに、地下室ユニットの壁部と床部の接合処理や目地処理を別途おこなわなくとも双方を一体化できるので施工性に優れている。
【００１４】
また、地下室ユニットの対向する壁部間に支持部材を設置して内側から支持させることで、壁部を型枠としてその外周にセメント系混合材料の外壁を容易に構築することができる。
【００１５】
さらに、底部の開口された地下室ユニットは、軽量であるため、運搬時や設置時の取り扱いが容易なうえに、その開口にセメント系混合材料を打設することで壁部と一体の床部を容易に形成することができる。
【００１６】
また、地下室ユニットの壁部の下端面にシール材を取り付けておくことで、地下室ユニットを防水シートなどによって防水層が形成された基礎面上に設置するだけで防水処理をおこなった効果を得ることができる。
【００１７】
さらに、地下室ユニットの底部に、予め鉄筋を架け渡しておくことで、現地での配筋作業を省略することができ、施工性が向上するうえに工期を短縮することができる。
【発明を実施するための最良の形態】
【００１８】
以下、本発明の最良の実施の形態について図面を参照して説明する。
【００１９】
図１は、本実施の形態の地下室の構築方法によって構築された地下室１の断面図を示したものである。
【００２０】
まず、構成から説明すると、このような本実施の形態の地下室１は、地盤２を掘削して形成された掘削底面２ａ上の略水平に形成された基礎面３上に構築される。
【００２１】
この基礎面３は、掘削底面２ａ上に敷き均された砕石部３ｃの上に、コンクリートやモルタルなどのセメント系混合材料を打設して、その上面が略水平になるように均すことによって形成される。
【００２２】
例えば、図４に示すように、砕石部３ｃ上に捨てコンクリートを打設して基礎コンクリート部３ｂを形成した後に、その上面に高さ調節用のコンクリートを打設して表面が水平になるように鏝で仕上げることによってレベル調整部３ａを形成する。
【００２３】
また、この基礎面３には、所定の位置に後述する地下室ユニット６を設置、固定するための位置決めボルト５ａを突出させておく。
【００２４】
この位置決めボルト５ａは、図４に示すように基礎コンクリート部３ｂに下部を埋設させることによって基礎面３に固定される。
【００２５】
さらに、この基礎面３上には、防水層として防水シート４を敷設して基礎面３から地下室１への水の浸入を防止する。この防水シート４には、アスファルトフェルト、軟質塩化ビニル系シート、加硫ゴム系遮水シートなどが使用できる。
【００２６】
そして、この防水シート４の上に設置される地下室ユニット６は、側面が壁部６１，・・・で囲まれるとともに、その底部６２は開口されている。
【００２７】
この壁部６１，・・・は、図５に示すように、鋼板部６１ａ，・・・によって形成され、例えば平面視四角形となるように地下室ユニット６の四方の側面に配置される。
【００２８】
この鋼板部６１ａは、地下室ユニット６の壁部６１に作用する外力に対して主に抵抗する部分であり、例えばデッキプレートなどの波型の鋼材であって継ぎ目のない板材を各壁部６１，・・・に配設して形成するのが好ましい。
【００２９】
また、鋼板部６１ａ，・・・の上端や外周には、図３に示すように頭部つなぎ材６１ｅ，・・・、胴部つなぎ材６１ｆ，・・・などを取り付けて、移動時に地下室ユニット６が変形しないように補強をおこなうのが好ましい。
【００３０】
さらに、この鋼板部６１ａの下端面には、図４に示すように弾性シール材として水膨張ゴム７が取り付けられる。この水膨張ゴム７は、弾性材であるとともに、水が供給されると膨張する特性を有するもので、基礎面３上に敷設された防水シート４と地下室ユニット６下端面との間に介在させることで、この間の防水性能を向上させることができる。
【００３１】
また、鋼板部６１ａ又は鋼板部６１ａ，６１ａ間に継ぎ目を設けた場合は、その継ぎ目は水膨張ゴムなどのシール材によって防水処理が施される。
【００３２】
また、地下室ユニット６の底部６２に隣接する鋼板部６１ａの下部には、図４に示すように断面視コ字型の取付金具６１ｃが溶接によって取り付けられ、その取付金具６１ｃに鉄筋６２ｂの端部が載置されて固定される。
【００３３】
この鉄筋６２ｂの周囲には、図１に示すようにセメント系混合材料としてのコンクリートが打設されて床部６２ａが形成される。
【００３４】
そして、この床部６２ａの上面には、必要に応じてタイルやフローリング材などの床仕上材６２ｃが敷設される。
【００３５】
また、鋼板部６１ａの内側には石膏ボード６１ｂが取り付けられ、必要に応じて壁紙などで内装仕上げがおこなわれる。
【００３６】
さらに、地下室ユニット６の天井部６３にも石膏ボード６３ａが取り付けられ、必要に応じて表面仕上材が配設される。
【００３７】
また、この地下室ユニット６の外周には、セメント系混合材料としてのコンクリートによって外周コンクリート部８が構築される。この外周コンクリート部８は、地下室ユニット６の外壁としての役割と、その上に設置される地上階１０の基礎としての役割を果たすため、所定の箇所に鉄筋８ｂを配設して地上用基礎部８ａを形成する。
【００３８】
さらに、この外周コンクリート部８の上面には、断熱材８ｃを敷設して地上階１０の断熱性能を向上させる。
【００３９】
また、地下室１の換気をおこなうために、内部に連通する換気パイプ９ａを取り付け、その先端を地上用基礎部８ａの側面に設けた換気口９に接続させる。
【００４０】
次に、図２〜図５を参照しながら本実施の形態の地下室１の構築方法及びその作用について説明する。
【００４１】
まず、住宅の建設地の地盤２を掘削して、図２に示すような掘削底面２ａと掘削側面２ｂ，・・・とに囲まれた穴を形成する。この掘削側面２ｂ，・・・の勾配は、地盤の硬さによって安全とされる勾配を設定すればよく、鋼矢板などの土留め材を使用して垂直面とすることもできる。
【００４２】
そして、掘削底面２ａ上に砕石を敷き均して砕石部３ｃを設け、必要に応じてソイルカバーなどのシート材（図示せず）で掘削側面２ｂ，・・・を覆った後に、砕石部３ｃの上面にコンクリートを打設する。
【００４３】
このようにして形成された基礎コンクリート部３ｂの所定の平面位置には、図４に示すように、位置決めボルト５ａをその上端が突出するようにして埋設する。
【００４４】
この基礎コンクリート部３ｂが所定の強度を発現するまで養生した後に、その上面にさらにコンクリートを打設するとともに、その表面が略水平になるように鏝で仕上げてレベル調整部３ａを形成する。
【００４５】
このレベル調整部３ａの上面となる基礎面３上に突出した位置決めボルト５ａ，・・・には、シールテープを貼り付けたりシール材を塗布したりして防水処理をおこない、その後に防水シート４を敷設する。
【００４６】
この敷設後においても、防水シート４の挿通孔４ａ，・・・の周囲にはシール材などの止水材を注入して位置決めボルト５ａ周辺の防水性能を高めておく。
【００４７】
次に、工場で製作した地下室ユニット６を現地まで搬送した後に、図３に示すように地下室ユニット６の上端に取り付けられた吊金具１１ａ，・・・に吊りワイヤ１１を連結してクレーンで吊り上げ、基礎面３上に吊り降ろす。
【００４８】
この地下室ユニット６には、工場において、鋼板部６１ａ，・・・の他に底部６２には鉄筋６２ｂ、鋼板部６１ａ，・・・の下端面には水膨張ゴム７，・・・が取り付けられている。
【００４９】
そして、この鋼板部６１ａの下端面には、接合手段としての穴（図示せず）が開口されており、その穴に位置決めボルト５ａを挿通させることで正確な位置に地下室ユニット６を設置することができる。
【００５０】
図４は、基礎面３上に地下室ユニット６を設置した際の鋼板部６１ａの下端面付近の詳細を示した拡大断面図である。
【００５１】
この鋼板部６１ａの下端面には、ボルトとナットによって構成される高さ調整具５ｄによってベースプレート５ｃが取り付けられ、このベースプレート５ｃの上下両面には水膨張ゴム７，７が配置されている。
【００５２】
そして、鋼板部６１ａの穴を通って上方に突出した位置決めボルト５ａにはナット５ｂを嵌め、これを締め付けることによって基礎面３に鋼板部６１ａ、換言すれば地下室ユニット６を固定する。
【００５３】
このようにして設置された地下室ユニット６の高さは、高さ調整具５ｄによって微調整することができる。
【００５４】
また、鋼板部６１ａの下端面に取り付けられた水膨張ゴム７，７は、地下室ユニット６の荷重によって圧縮されて防水シート４と鋼板部６１ａ下端面に密着し、その間の隙間が塞がれる。
【００５５】
さらに、この水膨張ゴム７，７に雨水や地下水などが供給されると、膨張してその周辺の隙間を埋めることができるので、地下室１完成後も防水性能を維持し続けることができる。
【００５６】
また、地下室ユニット６の鋼板部６１ａに、吊り上げ用の吊り穴６１ｄなどが設けられているときは、その吊り穴６１ｄにも水膨張ゴム７ａを充填して、地下水や雨水などが地下室１の内部に浸入しないようにする。
【００５７】
このようにして設置された地下室ユニット６の内部には、図５に示すように対向する鋼板部６１ａ，（６１ａ）間に支持部材１２，・・・を架け渡す。この支持部材１２には、Ｈ型鋼材などの鋼材が使用でき、鋼板部６１ａの内側面には応力集中による鋼板部６１ａの変形を避けるために受材１２ａを取り付け、この受材１２ａに支持部材１２の端部を固定する。
【００５８】
そして、予め鉄筋６２ｂが配筋された底部６２にコンクリートを流し込んで床部６２ａを構築する。
【００５９】
また、底部６２にコンクリートを打設した後に、鋼板部６１ａ，・・・の外周にもコンクリートを打設して外周コンクリート部８を構築する。
【００６０】
このように流動性のあるコンクリートを打設することで床部６２を構築すれば、コンクリートが鋼板部６１ａ，・・・の形状に合わせて流れ込むので、鋼板部６１ａ，・・・・に一体化された床部６２を容易に形成することができる。
【００６１】
そして、図１に示すように、床部６２の上面に床仕上材６２ｃを敷設し、鋼板部６１ａ，・・・内側面には石膏ボード６１ｂ，・・・を取り付け、天井部６３には天井用の石膏ボード６３を設置する。
【００６２】
このように構成された本発明は、底部６２が開口された地下室ユニット６を基礎面３上に固定した後に、その底部６２にコンクリートを打設することによって壁部６１と一体の床部６２を構築する。
【００６３】
このため、地下室ユニット６を運搬や設置が容易な軽量の形態にすることができるうえに、地下室ユニット６の壁部６１と床部６２の接合処理や目地処理を別途おこなう必要がなく施工性に優れている。
【００６４】
また、地下室ユニット６の対向する壁部６１，６１間に支持部材１２，・・・を設置して内側から支持させることで、壁部６１を型枠としてその外周に壁部６１と一体になる外周コンクリート部８を容易に構築することができる。
【００６５】
さらに、地下室１の外周をコンクリートで囲むことによって、地盤２に存在する鋼材を腐食させる因子（比抵抗、酵素量、ＰＨ、バクテリア、迷走電流など）から鋼板部６１ａを遠ざけることができるので、防水性能を長期間維持することができる。
【００６６】
また、地下室ユニット６の壁部６１の下端面に水膨張ゴム７を取り付けておくことで、地下室ユニット６を防水シート４が敷設された基礎面３上に設置するだけで防水処理をおこなった効果を得ることができる。
【００６７】
さらに、地下室ユニット６の底部６２に、予め鉄筋６２ｂを架け渡しておくことで、現地での配筋作業を省略することができ、施工性が向上するうえに工期を短縮することができる。
【００６８】
また、コンクリート製の床部６２ａに防水シート４を組み合わせて止水性を高めて底部６２からの水の浸入を防ぎ、止水性の高い鋼板部６１ａの下端面に止水性の高い水膨張ゴム７を配置して床部６２ａ側面からの水の浸入を防ぐことができるため、地下室１の防水性能を高めることができる。
【００６９】
また、床部６２ａを鉄筋コンクリートで構築することで、耐荷重性能が大幅に増加し、重量物などを地下室１に収容することも可能になる。
【００７０】
以上、図面を参照して、本発明の最良の実施の形態を詳述してきたが、具体的な構成は、この実施の形態に限らず、本発明の要旨を逸脱しない程度の設計的変更は、本発明に含まれる。
【００７１】
例えば、前記実施の形態では、防水層として防水シート４を使用したが、これに限定されるものではなく、例えばウレタンフォームなどを塗布して防水層を形成してもよい。
【００７３】
さらに、前記実施の形態では、基礎面３上にだけ防水シート４を敷設したが、これに限定されるものではなく、掘削側面２ｂ，・・・にも防水シート４を敷設して地下室１の外周を防水シート４で包囲するような構成として、さらに防水性能を高めることもできる。
【００７４】
また、前記実施の形態では、壁部６１の下端面に水膨張ゴム７を取り付けたが、これに限定されるものではなく、シール材としてゴムシール材やシリコーンなどの水を含んでも膨張しない弾性シール材を使用してもよい。
【００７５】
また、前記実施の形態の地下室ユニット６には予め底部６２に鉄筋６２ｂが配筋されているが、これに限定されるものではなく、地下室ユニット６を設置した後に配筋作業をおこなってもよい。
【図面の簡単な説明】
【００７６】
【図１】本発明の最良の実施の形態の地下室の構築方法によって構築された地下室の構成を示した断面図である。
【図２】防水シートを敷設する工程を示した斜視図である。
【図３】地下室ユニットを設置する工程を示した断面図である。
【図４】地下室ユニットの壁部の下端面付近の詳細を示した拡大断面図である。
【図５】地下室ユニットの底部及び外周にコンクリートを打設する工程を示した斜視図である。
【符号の説明】
【００７７】
１            地下室
２            地盤
２ａ          掘削底面
３            基礎面
４            防水シート（防水層）
５ａ          位置決めボルト（基礎面に設けられた手段）
６            地下室ユニット
６１          壁部
６２          底部
６２ａ        床部
６２ｂ        鉄筋
７            水膨張ゴム（弾性シール材）
８            外周コンクリート部
【図１】
0004778767.tif 000002
【図２】
0004778767.tif 000003
【図３】
0004778767.tif 000004
【図４】
0004778767.tif 000005
【図５】
0004778767.tif 000006